Podtech/llm-jp-corpus-v4-ja_patent huggingface dataset:
(57)【要約】【課題】  梅酒に代表される果実酒は、通常、アルコールを含んだ糖液に、果実を浸漬し、糖液の浸透圧を利用して果実エキスを抽出する方法が一般的であり、糖類を添加することなく、アルコールに浸漬して、果実エキスを抽出することは困難である。また糖類を使用しても抽出に相当の長時間を要する欠点がある。  本発明は、アルコールに糖類を添加することなく、果実エキス、薬草エキスを早く抽出することが出来る果実、薬草酒の新規な製造方法を提供する。【解決方法】  果実、薬草酒の製造に際し、該果実、薬草を凍結する工程と、該凍結した果実、薬草を低温で乾燥する工程と、該低温で乾燥した果実、薬草を気密容器の中のアルコール液に浸漬する工程と、該果実、薬草を浸漬したアルコール液上面と気密容器の間の空間を減圧して、該アルコールを脱気する工程を備えてなることを特徴とする。  前記アルコール脱気の程度が、アルコール度数表示で、０．５度以上であることを特徴とする。【選択図】なし【特許請求の範囲】
【請求項１】
果実、薬草酒の製造に際し、該果実、薬草を凍結する工程と、該凍結した果実、薬草を低温で乾燥する工程と、該低温で乾燥した果実、薬草を気密容器の中のアルコール液に浸漬する工程と、該果実、薬草を浸漬したアルコール液上面と気密容器の間の空間を減圧して、該アルコールを脱気する工程を備えてなることを特徴とする果実、薬草酒の製造方法。
【請求項２】
前記アルコール脱気の程度が、アルコール度数表示で、０．５度以上である請求項１に記載の果実、薬草酒の製造方法。
【発明の詳細な説明】
【技術分野】
【０００１】  本発明は果実、薬草酒の製造方法に係わり、更に詳しくは、糖類を含まない果実、薬草酒の製造方法に関するものである。
【背景技術】
【０００２】  特許文献１に記載されているように、梅酒に代表される果実酒は、通常、アルコールを含んだ糖液に、果実を浸漬し、糖液の浸透圧を利用して果実エキスを抽出する方法が一般的であり、糖類を添加することなく、アルコールに浸漬して、果実エキスを抽出することは困難である。また糖類を使用しても抽出に相当の長時間を要する欠点がある。【０００３】  梅酒の製造に際して、梅エキスの抽出を早くする方法として、梅を冷凍することは周知であるが、糖類の添加は必須条件である。【０００４】  薬用種の場合、本来、糖類の添加を禁止されている場合が多いので、糖類添加なしに、薬用エキスを抽出するのは困難である。
【先行技術文献】
【特許文献】
【０００５】
【特許文献１】特開平６−１５３８４８
【発明が解決しようとする課題】
【０００６】  本発明はかかる問題点に鑑みてなされてもので、その目的は、アルコールに糖類を添加することなく、果実エキス、薬草エキスを早く抽出することが出来る果実、薬草酒の新規な製造方法を提供することにある。
【課題を解決するための手段】
【０００７】  本発明の課題は、下記の手段で解決することが出来る。
すなわち、果実、薬草酒の製造に際し、該果実、薬草を凍結する工程と、該凍結した果実、薬草を低温で乾燥する工程と、該低温で乾燥した果実、薬草を気密容器の中のアルコール液に浸漬する工程と、該果実、薬草を浸漬したアルコール液上面と気密容器の間の空間を減圧して、該アルコールを脱気する工程を備えてなる方法で本発明の課題を解決することが出来る。
【０００８】  前記アルコール脱気の程度は、旨みとコクのある果実、薬草酒に仕上げるためには、アルコール度数表示で、０．５度以上が好ましく、上限は５度程度が好ましい。
【０００９】  果実、薬草の凍結条件は、家庭用冷蔵庫の冷凍庫の中に１〜数日間貯蔵するだけで良い。
【００１０】  冷凍保管後、取出して低温乾燥する。
低温乾燥は、冷風乾燥が好ましい。
温度は、概ね０℃±５℃程度の範囲が好適である。
温度が高くなると、腐敗が進行しやすくなる。
なお凍結と乾燥を同時に行う真空凍結乾燥でもよい。
【００１１】  冷凍によって果実、薬草の細胞膜が破壊され、冷風乾燥によって腐敗が進行することなく、破壊された細胞膜の中から水分が速やかに除去される。
【００１２】  前記果実、薬草を浸漬したアルコール液面と気密容器の間の空間を減圧状態に保持する工程の減圧度は、気密容器の排気口を減圧ポンプに接続して、概ね２５０〜６００ｍｍＨｇ程度の減圧でよい。
減圧ポンプは、ダイヤフラム式の簡易ポンプで良い。
【００１３】  減圧状態に保持する時間は、一旦２５０〜６００ｍｍＨｇ程度まで減圧した後、拝気口を気密封止し、これを毎日繰返し、３か月程度続ける程度で良い。
【００１４】  本発明で、果実とは、梅、プラム、カリン、レモン、ブドウ、柿、桃、梨、等々、全ての果物を意味するものである。
本発明で、薬草とは、漢方薬に使用される薬草全般を意味するものである。
【発明の効果】
【００１５】  アルコールに糖類を添加することなく、短期間で果実、薬草のエキスをアルコール中に抽出することが可能であり、糖質を含まない果実酒、薬用種を短期間で製造できる特徴を有するものである。
【発明を実施するための形態】
【００１６】  実施例１
梅酒の製造
中程度の大きさの青梅１７個を洗浄して、乾燥した後、−１５℃の冷凍庫に１昼夜、貯蔵した後、取出して、金網の容器に入れて吊下げて、梅の表面に氷結した水分を、０℃の冷風を流して１週間乾燥した。
【００１７】  減圧排気口を有する１リットル容量の直径１００ｍｍの気密性ガラス容器の中に、アルコール度数１７度の日本酒８００ｍｌを入れ、日本酒の中に、冷風乾燥して水分を除去した梅を沈めた。
アルコール液面と気密性ガラス容器の天井の間には、約３０ｍｍの隙間空間ができた。
【００１８】  次に、気密性ガラス容器の排気口をダイヤフラム式の簡易真空ポンプに繋ぎ、容器の蓋を閉じ、ポンプを作動させて日本酒液面と容器の蓋の間の空間を３００ｍｍＨｇまで排気した後、減圧排気口の封止弁を閉じて、日本酒液面と容器の蓋の間の空間を減圧状態に保持した。
【００１９】  前記日本酒液面と容器の蓋の間の空間を減圧状態に保持しても、時間の経過とともに、日本酒のアルコールと水が気化して、ついには大気圧まで回復するので、減圧処理は毎日１回行い、３か月後、容器の蓋を開けて、日本酒を試飲した。
梅のエキスが十分に溶け出し、無糖でコクのある梅酒が得られた。
アルコール度数は、０．５度低下していた。
【００２０】  一方、冷風乾燥して水分を除去した梅を、日本酒の中に浸漬しただけで、減圧処理を行わなかった場合、３か月後、日本酒の中に、梅エキスの溶け出しは殆ど認められなかった。
【産業上の利用可能性】
【００２１】  無糖の果実、薬用酒には、潜在的に多くのニーズがあり、本発明は、隠れた需要を顕在化させて多くの需要が期待できる。
(57)【要約】      （修正有）【課題】実際にタバコに火をつけ、タバコのにおいを嗅ぎ、タバコの煙を見ることができるが、タバコの煙が決して体内に入らないパイプを提供する。【解決手段】火のついたタバコを差したパイプを吸い込むとＩ室１にあいた空気取入口５から空気が入り、Ｉ室に設けられたスクリューＩ３が回転し、同時に同一軸に取付けられたスクリューＩＩ４が回転する。その回転によりタバコの煙を吸い込み、ＩＩ室２に設けられた排気口６よりタバコの煙が排出される。【選択図】図−１
2016198076.tif 000002
【特許請求の範囲】
【請求項１】
パイプを２つの室（以後、吸い込み口側をＩ室、タバコ側をＩＩ室と言う）に分け、それぞれの室にスクリューを設け、２つのスクリュー（以後、吸い込み口側をスクリューＩ、タバコ側をスクリューＩＩと言う）は同一軸に取り付けられていることを特徴とする嗅煙パイプ
【請求項２】
それぞれの室の空気の流れについて
Ｉ室の空気の流れは、空気取り入れ口⇒スクリューＩ⇒吸い込み口
ＩＩ室の空気の流れは、タバコ⇒スクリューＩＩ⇒排気口
を特徴とする嗅煙パイプ
【請求項３】
Ｉ室のスクリューＩが回転すると同一軸に取付けられた
ＩＩ室のスクリューＩＩが回転することを特徴とする嗅煙パイプ
【請求項４】
組立て及び分解して掃除が可能な構造を特徴とする嗅煙パイプ
【発明の詳細な説明】
【技術分野】
【０００１】本発明は嗅煙パイプに関するものである
パイプは２室に分かれている（以後、吸い込み口側をＩ室、タバコ側をＩＩ室という。）火のついたタバコを差したパイプを吸い込むと、Ｉ室にあいた空気取入れ口から空気が入り、Ｉ室に設けられたスクリューＩが回転する。
同時に同一軸に取り付けられたＩＩ室のスクリューＩＩが回転する。その回転により、タバコが吸い込まれＩＩ室に空けられた排気口よりタバコの煙が排出されることを特徴とする。
鼻や目の前をタバコの煙が立ち上がる時、タバコの香りを嗅いだり、煙を見ることが出来るが、決してタバコの煙を吸うことがない画期的な嗅煙パイプである。
【背景技術】
【０００２】従来の禁煙パイプはフィルターで煙の濃度を下げるとか、パイプの中に芳香剤を入れたものをタバコの代わりに吸うもの等が主流だった。
【発明が解決しようとする課題】
【０００３】従来の禁煙パイプでも禁煙する効果はあったが、実際にタバコに火をつけ、タバコのにおいを嗅ぎ、タバコの煙を見ることができるが、タバコの煙が決して体内に入らないパイプの考案を課題とした。
【課題を解決するための手段】
【０００４】  スクリューの空気の流れがあれば回転する。また、スクリューを回転すれば空気の流れを起こすことが出来ることに着目し、それを利用した。
【発明の効果】
【０００５】本発明によりタバコの煙を見ることが出来、かつ煙の匂いを嗅ぐことが出来るが、決して煙を体内に吸い込まずに、実際タバコをすっている気分を味わうことが出来ゆるやかに禁煙することができる。
【発明を実施するための最良の形態】
【０００６】  火のついたタバコを差したパイプを吸い込むとＩ室にあいた空気取入口から空気が入り、Ｉ室に設けられたスクリューＩが回転する。
同時に同一軸に取付けられたスクリューＩＩが回転する。
その回転によりＩＩ室に設けられた排気口よりタバコの煙が排出される。
【産業上の利用可能性】
【０００７】  本発明は量産することが可能であるため産業上の利用可能性を有する。
【図面の筒単な説明】
【０００８】１          Ｉ室
２          ＩＩ室
３          スクリューＩ
４          スクリューＩＩ
５          空気取入口
６          排気口
７          吸い込み口
８          火のついたタバコ
９          本体Ｉ
１０        本体ＩＩ
１１        隔離壁
【図−１】
2016198076.tif 000003
【手続補正書】
【提出日】平成27年7月14日(2015.7.14)
【手続補正１】
【補正対象書類名】明細書
【補正対象項目名】０００８
【補正方法】変更
【補正の内容】
【０００８】
【図−１】  嗅煙パイプの断面図
【符号の説明】
１        Ｉ室
２        ＩＩ室
３        スクリューＩ
４        スクリューＩＩ
５        空気取入口
６        排気口
７        吸い込み口
８        火のついたタバコ
９        本体Ｉ
１０      本体ＩＩ
１１      隔離壁
(57)【要約】【課題】食品包装体に収納した加工食品の酸化や劣化を軽減、あるいは防ぐことのできる缶詰、アルミパウチに収納する加工食品の製造方法を開発・提供するものである。【解決手段】缶、アルミパウチの収納容器に加工食品を充填する際に、充填直前、若しくは、事前に該加工食品の液体中に水素ガス（水素分子）を溶解させ、これら加工食品を収納容器に充填密封することを特徴とする缶、アルミパウチの収納容器に収納する加工食品の製造方法から構成される。【選択図】  なし【特許請求の範囲】
【請求項１】
缶、アルミパウチの収納容器に加工食品を充填する際に、
充填直前、若しくは、事前に
該加工食品の液体中に水素ガス（水素分子）を溶解させ、
これら加工食品を収納容器に充填密封する
ことを特徴とする缶、アルミパウチの収納容器に収納する加工食品の製造方法。
【請求項２】
加工食品が、液体、あるいは液体に固体を含む食品である
ことを特徴とする請求項１記載の缶、アルミパウチの収納容器に収納する加工食品の製造方法。
【請求項３】
液体である加工食品が、汁、スープ、カレー、調味液である
ことを特徴とする請求項２記載の缶、アルミパウチの収納容器に収納する加工食品の製造方法。
【請求項４】
液体に固体を含む加工食品が、おでん、肉じゃが等の加工食品である
ことを特徴とする請求項１または２記載の缶、アルミパウチの収納容器に収納する加工食品の製造方法。
【発明の詳細な説明】
【技術分野】
【０００１】
この発明は、缶詰、アルミパウチの収納容器に収納する加工食品の製造方法に関するものである。
【背景技術】
【０００２】
従来、アルミパウチ容器は、水素が抜けにくいため、水素水の保存期間が長く、開封後もアルミパウチ以外の容器と比べて水素の揮発を抑える効果があることは知られている。  
【０００３】
また、缶詰、アルミパウチである食品包装体に収納した加工食品には、液体単体のもの、固体と液体とのもの、そして固体のものが存在する。そして、これらの収納物である加工食品は、収納して完全密閉手段を施した後に、加圧加熱処理や１００°Ｃ以下の加熱処理を施すことにより包装体内部を殺菌し、長時間保存できるよう処理している。
【０００４】
尚、完全密閉手段としての具体的な例としては、缶の場合は蓋の巻締めにより、アルミパウチの場合はヒートシール等の加熱溶着により行なわれている。
【０００５】
そして、その際に、加過熱によるダメージや酸化が少なからず発生するものであり、又、缶詰やレトルトパウチは１年以上の保存期間が設けられているので、その保存期間中に少なからず酸化や劣化が発生し、味が悪くなることも広く知られている。
【０００６】
また、アルミパウチは密閉性の要求されるアルミ箔が使用されており、水、空気、光を通さない素材として知られている。水素分子（水素ガス）は非常に分子量が小さいため、スチール缶やアルミ缶、アルミパウチ等金属由来の容器が好ましい。
【０００７】
さらに、ゲル状生成物をアルミパウチに充填・密封する技術も、既に公開されている。例えば、特許文献１のように。
【先行技術文献】
【特許文献】
【０００８】
【特許文献１】特許第３９４４７８６号公報
【発明の概要】
【発明が解決しようとする課題】
【０００９】
この発明は、食品包装体に収納した加工食品の酸化や劣化を軽減、あるいは防ぐことのできる缶詰、アルミパウチに収納する加工食品の製造方法を開発・提供するものである。
【課題を解決するための手段】
【００１０】
そこでこの発明の缶詰、アルミパウチに収納する加工食品の製造方法は、
缶、アルミパウチの収納容器に加工食品を充填する際に、
充填直前、若しくは、事前に
該加工食品の液体中に水素ガス（水素分子）を溶解させ、
これら加工食品を収納容器に充填密封する
ことを特徴とする。
【００１１】
そして、
加工食品が、液体、あるいは液体に固体を含む食品である
ことを特徴とする。
【００１２】
また、
液体である加工食品が、汁、スープ、カレー、調味液である
ことを特徴とする。
【００１３】
さらに、
液体に固体を含む加工食品が、おでん、肉じゃが等の加工食品である
ことを特徴とする。
【発明の効果】
【００１４】
この発明によると、充填直前若しくは事前に、水素分子を溶存させた加工食品の液・調味液と、スチール缶やアルミ缶、又はアルミパウチ（袋容器）とを併用することで、製品中に水素分子を長時間留める事ができ、その結果、酸化や劣化を軽減し、あるいは還元して防ぐことができる等の効果を奏する。
【００１５】
さらに、水素ガスは空気中濃度が４％以上になると引火の可能性があるが、通常使用では４％になる心配はないし、又、危険物としての取り扱いもプロパンガスと同じ基準であり、食品へ利用程度の保管では消防署への届け出も不要である等の極めて有益なる効果を奏するものである。
【００１６】
さらに、水素分子は、地球上で最も還元力の優れた物質（気体）であり、既存食品添加物の指定を受けており、食品製造に使用が可能である。
【発明を実施するための形態】
【００１７】
以下、この発明の好適な実施の形態について詳細に説明する。この発明においては、以下の記述に限定されるものではなく、この発明の要旨を逸脱しない範囲においては適宜変更可能である。
【実施例】
【００１８】
先ず、この発明の一実施例を図面に基づいて説明すると、缶、アルミパウチの収納容器に加工食品を充填する際に、充填直前、若しくは、事前に該加工食品の液体中に水素ガス（水素分子）を溶解させ、これら加工食品を収納容器に充填密封することを特徴とする缶、アルミパウチの収納容器に収納する加工食品の製造方法から構成される。
【００１９】
そして、加工食品が、液体、あるいは液体に固体を含む食品であることを特徴とする缶、アルミパウチの収納容器に収納する加工食品の製造方法である。
【００２０】
そして、液体である加工食品が、汁、スープ、カレー、調味液であることを特徴とする缶、アルミパウチの収納容器に収納する加工食品の製造方法である。
【００２１】
アルミパウチに充填密閉する際、気層はできるだけ少なくすると効果が高いものである。
【００２２】
さらに、液体に固体を含む加工食品が、みそ汁、とん汁、おでん、肉じゃが等の加工食品であることを特徴とする缶、アルミパウチの収納容器に収納する加工食品の製造方法であり、特に農産物の加工食品において顕著である。
【産業上の利用可能性】
【００２３】
この発明の缶詰、アルミパウチに収納する加工食品の製造方法の技術を確立し、実施することにより産業上利用可能性があるものである。
(57)【要約】【構成】  上方部に手で握るに充分なハンドルを設けた長いアームの下方部を、モーターで回転する減速器の軸に固着したクランクと、フレームに軸支したリンクに係合して「４リンク」のリンク機構を構成した構造で、モーターが回転するとハンドルが前後に長い楕円状の軌跡を描いて動くものである。【効果】ハンドルを握ってモーターを回転すると手は前後に長い楕円状の軌跡を描いて動き、腕を大きく伸展・屈曲して手首、肘、肩の関節を屈伸運動をすることが出来る。  ハンドルを握ったままで、ハンドルに力を加えなければ他動運動となり、ハンドルに力を加えて自動運動をすることも出来る。運動の速さは、モーターの回転を電気的に制御することにより、他動運動、自動運動に関わりなく速さが変化することなく運動することが出来る。リハビリ、予防、更に上半身の運動にも効果を上げることが期待される。【選択図】図１
2016198465.tif 000002
【特許請求の範囲】
【請求項１】
フレームに取り付けた、モーターで駆動する減速器の左右の軸にクランクを取り付け、当該クランクと、フレームにその一端を軸支したリンクに、上方部に手で握るに充分なハンドルを固着した長いアームの下方部を係合して、「４リンク」のリンク機構を構成した構造で、クランクの回転によりアームの上方部に固着したハンドルが前後に長い楕円状の軌跡を描いて動くことを特徴とする上肢運動装置。
【発明の詳細な説明】
【発明の詳細な説明】
【技術の分野】
この発明は高齢者、障害者の上肢の運動に関し、モーターで駆動する運動装置上肢の運動をで行うものである。
【背景の技術】
【０００１】  人間の体は、高齢による運動量の低下や脳梗塞などで関節を動かさないでいると、関節の可動範囲が小さくなり拘縮がおきて、関節の進展屈曲が困難になり、また、不可能になることがある。この関節の拘縮はリハビリによって回復することが可能で、リハビリ、或いは機能訓練をする器具は存在するが、価格、機能、取扱などの面で一般性に欠けている。
また、回復や予防の為の運動や体操などが推奨されているが、高齢者にとってはその気力に乏しく実行は容易でない。
【発明が解決しようとする課題】
【０００２】    以上のように、高齢者、障害者の運動不足により発症する上肢の関節の拘縮を回復し、予防するには、高齢者でも手軽に利用が可能な上肢の運動装置が要望されている。
【０００３】    そこで、高齢者、障害者でも手軽に上肢を伸展、屈曲する運動を効果的に行える運動装置を提供することである。
【課題を解決する手段】
前記課題を解決する為に、この発明に関わる上肢運動装置に於いては、上端部に手で握るハンドルを固着した長いアームを電気モーターで駆動して、ハンドルを握った手を前後に動かして腕を伸展・屈曲することである。
【０００４】  モーターで駆動する回転軸にに装着したクランクと、フレームに回動自在に軸支したリンクの一端に、上端部にハンドルを固着したアームの下方部を係合して「４リンク」のリンク機構を構成し、クランクが回転するとアームの上端部に固着したハンドルが前後に長い楕円状の軌跡を描いて動く上肢運動装置とすることである。
【発明を実施する為の最良の形態】
【０００５】    この発明に係る上肢運動装置はその構成と、運動の形態に下記のような特徴を有する。
（１）左右のフレームで挟むようにして取り付けた、モーターで駆動する減速器の左右の軸に取り付けたクランクと、フレームにその一端を回動自在に軸支したリンクに、上方部に手で握るに充分なハンドルを固着した長いアームの下方部を係合して「４リンク」のリンク機構を構成した構造。
（２）クランクが回転するとアームの上方が前後に揺動してアームの上端部のハンドルが前後に長い楕円状の軌跡を描いて動く。
（３）アームの揺動によるハンドルの前後の動きは、図２のハンドルの軌跡１２に示すように、手前と先方の運動の折り返し点の速さは遅く、また前後の動きの速さは、手前では早く、先方では遅く動いて、無理のない自然な動きの運動をする。
【実施例】
【０００６】    以下この発明の実施例を図面に基づいて説明する。
図１は考案に係る上肢運動装置の機構を示すもので、右手前から観た立体図。
図２はリンク機構とハンドルの動きの軌跡を示すもので、右側面図。【０００７】    以下本案の実施例について詳しく説明する。
（イ）電気モーター３で駆動する減速器２を左右のフレーム１で挟むように取り付け、減速機の左右の回転軸４にクランク５を取り付ける
（ロ）リンク９の一端をフレーム１の支軸１０に回動自在に軸支する
（ハ）長いアーム７の上方部に手で握るに充分なハンドル１１を固着し、当該アームの下方部をクランクピン６と、リンク９の他端部のリンクピン８に係合して「４リンク」のリンク機構を構成する構造とする。【０００８】    以上のようにリンク機構で構成された構造で、モーターが回転するとアームの上方が前後に揺動してアームの上部に固着したハンドル１１を握った手は長い楕円状の軌跡１２を描いて前後に動き、手首、肘、肩の関節を伸展、屈曲する。【０００９】  この実施例では、ハンドルを握った手の前後に動く速さが、ハンドルの軌跡１４に示すように手前では早く、手を伸ばした先の方では遅くなるように、リンク９の長さと、支軸１０の位置を設定してある。【００１０】  また、運動の速さは、モーターの回転を電気的に制御しているので、他動運動、自動運動に関わりなく運動の速さは変わらない。
【発明の効果】
この発明は上記のように構成されているので、アームの上部のハンドルを手で握るだけで他動運動を行い、ハンドルに力を加えると自動運動をすることが出来る。
また、自動運動は力を入れることにより上半身の運動にもなる。
リハビリから予防、鍛練、上半身の運動まで安全で手軽に行えるので高齢社会に大きく貢献することが出来る。
【図面の簡単な説明】
【図１】  本発明の上肢運動装置の機構を示す右手前から観た立体図
【図２】  本発明のリンク機構とハンドル動きの軌跡を示す右側面図
【記号の説明】
１  ―  フレーム
２  ―  減速器
３  ―  モーター
４  ―  回転軸
５  ―  クランク
６  ―  クランクピン
７  ―  アーム
８  ―  リンクピン
９  ―  リンク
１０  ―  支軸
１１  ―  ハンドル
１２  ―  ハンドルの前後の動きの軌跡
１３  ―  クランクピン３０°毎回転位置
【図１】
2016198465.tif 000003
【図２】
2016198465.tif 000004
(57)【要約】      （修正有）【課題】野菜等特に根菜類を切った時に刃に野菜が付かない包丁【解決手段】包丁の刃に近い部に突起を施こし物がくっ付きにくくした。【選択図】図１
2016198466.tif 000002
【特許請求の範囲】
【請求項１】
包丁に突起を施した物
【発明の詳細な説明】
【発明の詳細な説明】
【産業上の利用分野】
【０００１】この考案は包丁の刃に近い部分に突起を施し野菜等を切ものである
【背景技術】
【０００２】包丁に突起のある物はあった
【発明が解決しようとする課題】
【０００３】包丁で野菜等特に根菜類を切っ時に刃に野菜が付かないとして売られていたが実際は思ったような決可ではなかった
この考案はこのような欠点を除くためになされたものである
【問題を解決するための手段】
【０００４】包丁の刃に近い部分に突起を施し野菜主に根菜類がくっ付かないようにした。
【作用】
【０００５】普段通りに野菜を切る
【実施例】
【０００６】キューリ等を切った
【発明の効果】
【０００７】従来の突起付き包丁とは違いキューリ等がくっ付く事なくきれいに切った通りに離れていき飛び散ることもなかった。
【図１】
2016198466.tif 000003
【手続補正書】
【提出日】平成27年6月15日(2015.6.15)
【手続補正１】
【補正対象書類名】明細書
【補正対象項目名】全文
【補正方法】変更
【補正の内容】
【発明の詳細な説明】
【発明の詳細な説明】
【産業上の利用分野】
【０００１】この考案は包丁の刃に近い部分に突起を施し野菜等を切ものである
【背景技術】
【０００２】包丁に突起のある物はあった
【発明が解決しようとする課題】
【０００３】包丁で野菜等特に根菜類を切っ時に刃に野菜が付かないとして売られていたが実際は思ったような決可ではなかったこの考案はこのような欠点を除くためになされたものである
【問題を解決するための手段】
【０００４】包丁の刃に近い部分に突起を施し野菜主に根菜類がくっ付かないようにした。
【作用】
【０００５】普段通りに野菜を切る
【実施例】
【０００６】キューリ等を切った
【発明の効果】
【０００７】従来の突起付き包丁とは違いキューリ等がくっ付く事なくきれいに切った通りに離れていき飛び散ることもなかった。
【図面の簡単な説明】
【０００８】
【図１】Ａは、包丁の平面横図Ｂは、包丁の断面図
【符号の説明】
【手続補正書】
【提出日】平成27年6月26日(2015.6.26)
【手続補正１】
【補正対象書類名】明細書
【補正対象項目名】０００４
【補正方法】変更
【補正の内容】
【０００４】包丁の刃に近い部分に複数の突起を施し野菜主に根菜類がくっ付かないようにした。
【手続補正２】
【補正対象書類名】図面
【補正対象項目名】全図
【補正方法】変更
【補正の内容】
【図１】
2016198466.tif 000004
(57)【要約】【課題】  この発明は、机上の書類のファイルや本などを必要量に応じて幅を変えられるスライド式のブックエンドを提案する。【解決手段】  ブックエンド側板（１ａ）に穴（３ａ）を設け、丸棒（２）を固定し、もう一枚の側板（１ｂ）に貫通させた穴（３ｂ）を設け、丸棒（２）に通しスライドさせる。  本発明は、以上のような構成よりなるスライド式のブックエンド。【選択図】図１
2016198455.tif 000002
【特許請求の範囲】
【請求項１】
ブックエンド側板（１ａ）に穴（３ａ）を設け、丸棒（２）を固定し、もう一枚の側板（１ｂ）に貫通させた穴（３ｂ）を設け、丸棒（２）に通しスライドさせる。
本発明は、以上のような構成よりなるスライド式のブックエンド。
【発明の詳細な説明】
【技術分野】
【０００１】  この発明は、机上の書類のファイルや本などを必要量に応じて幅を変えられるスライド式のブックエンドに関するものである。
【背景技術】
【０００２】  従来、ブックエンドは分割式のものが一般的だった。
次のようなブックエンドが提案されている。
書籍等の出し入れに際して、底板相互の凹凸列の噛み合わせが外れてしまうことがないとともに、側板、および底板からなるスタンドの水平面内での回転ずれを起こすことのない。
また、スタンドの多個連結の可能なブックエンドが提案されている（参照文献１）。
一対の向かい合うブックエンドの側板の底板近くに設けた穴に、紐や帯条の布を通して、互いのブックエンドを連結し、紐や帯条の布の長さを調整し、ブックエンド間の幅を変更し、固定できる（参照文献２）。
ブックエンドの底板３に凹凸部５を設け、互いの凹凸部５をはめ合わせたブックエンドが提案されている（参照文献３）。
【先行技術文献】
【特許文献】
【０００３】
【特許文献１】  特開２００９−１１７３３号公報
【特許文献２】  特開２００７−１４７１８号公報
【特許文献３】  特開平５−３１０１２号公報
【発明の概要】
【発明が解決しようとする課題】
【０００４】  これは次のような欠点があった。
（イ）従来のスライド式のブックエンドは、構造が複雑であった。
（ロ）オフィスなど書類のファイル等、常に量が変わる時に不便であった。
本発明は、これらの欠点を除くためになされたものである。
【課題を解決するための手段】
【０００５】  ブックエンド側板（１ａ）に穴（３ａ）を設け、丸棒（２）を固定し、もう一枚の側板（１ｂ）に貫通させた穴（３ｂ）を設け、丸棒（２）に通しスライドさせる。
本発明は、以上のような構成よりなるスライド式のブックエンドである。
【発明の効果】
【０００６】（イ）本と本の間が簡単につめられ本の倒れを防止できる。
（ロ）オフィスなどの書類や資料等、常に必要量が変わる場合にも側板をスライドさせる    ことにより簡単に対応できる。
（ハ）側板のデザインを変えることにより、見た目を変えることもできる。
【図面の簡単な説明】
【０００７】
【図１】  本発明の分解斜視図である。丸棒
【図２】  本発明の斜視図である。
【発明を実施するための形態】
【０００８】  以下、発明を実施するための形態について説明する。
三角形の側板（１ａ）の下部の穴を設け、丸棒（２）を差し込み固定する。
もう一枚の側板（１ｂ）の下部に貫通した穴（３ｂ）を設ける。
本発明は、以上のような構造である。
本発明を使用するときは、側板（１ａ）と一体に設けた丸棒（２）にもう一枚の側板（１ｂ）を通しスライドさせて、本の量に合わせて挟む。
一冊から複数の量の本を簡単に調節することができる。
【符号の説明】
【０００９】    １ａ，１ｂ  側板
２          丸棒
３ａ，３ｂ  穴
【図１】
2016198455.tif 000003
【図２】
2016198455.tif 000004
(57)【要約】【課題】椅子に座り脹脛をマッサージする機能と猫背になる傾向の人に猫背に注意する意識が生じ座りながら背筋を後方に反らす事が出来る椅子を提供する。【解決手段】椅子を使用する人に、この椅子は背筋対策と脹脛をマッサージ機能を持っている事を告げて使用してもらい、背もたれは座った場合、腰位迄の高さとし上部は円形状に加工して座席中背筋を後ろに反らすことが出来、座席の足の向う先の縁を円形状に加工し、脹脛を上下に擦るようにして疲れを軽減する椅子にする。【選択図】図１
2016198451.tif 000002
【特許請求の範囲】
【請求項１】
椅子は背筋を後方に反らす事が出来る背もたれと脹脛マッサージ機能を持ち、
椅子を使用する人に猫背対策と脹脛マッサージが出来る椅子として告知、認識してもらい、通常の椅子同様に使用しながら対策行動をして健康に寄与することを特徴とする脹脛マッサージ椅子。
【請求項２】
椅子は背筋を後方に反らす事が出来る背もたれと脹脛マッサージ機能を持ち、
請求項１の背もたれは上部を円形状にして腰の高さ位とし、椅子を使用中背筋を後ろに反復して反らし猫背傾向の矯正に役立つことを特徴とする脹脛マッサージ椅子。
【請求項３】
椅子は背筋を後方に反らす事が出来る背もたれと脹脛マッサージ機能を持ち、
脹脛マッサージしたいと欲する人に即役立つ椅子として座席の足が向く方向範囲で座席の縁を円形状にして、着席して足を持上げ下しながら円形に脹脛を押し付けてマッサージすることを特徴とする脹脛マッサージ椅子。
【請求項４】
請求項３の椅子に耐水性のある材質を使用すると、浴槽内に沈め入浴しながら脹脛をマッサージ出来ることを特徴とする脹脛マッサージ椅子。
【発明の詳細な説明】
【技術分野】
【０００１】  猫背対策椅子と脹脛マッサージ対策椅子の一体化に関することである。
【背景技術】
【０００２】  椅子を利用して脹脛をマッサージ対策付きのものは本来の椅子の形状から外れ高額であり、猫背対策を兼ねるものはない。【０００３】  脹脛は第２の心臓と言われ従来から脹脛をマッサージする用具は独立したものとして扱われている。
【発明の開示】
【発明が解決しようとする課題】
【０００４】  猫背対策付きの椅子として勧め、猫背対策の必要性を意識させ、猫背対策出来る椅子を提供する。【０００５】  通常の椅子として使用しながら同時に脹脛をマッサージ出来る機能を持つ椅子を提供する。【０００６】  脹脛をマッサージする用具は単純な構造で電力を使用せず故障の発生が皆無に近いものを提供する。【０００７】  耐水材質を使用した椅子は浴槽内に沈め、入浴しながら脹脛をマッサージ出来る椅子を提供する。
【課題を解決するための手段】
【０００８】  猫背対策と明示し座った場合、腰位迄の高さの背もたれの椅子を使用するので日常猫背に対する意識が生まれることが想定され、実際に座って背筋を反復して後方に反らす事が出来る事を特徴としている。【０００９】  人が行動した結果の脹脛の疲労を軽減するための手段の一つとして、身の回りに常に存在する椅子に座り、座席の縁を円形状に加工したものに脹脛を上下に擦るようにして疲れを軽減することを特徴としている。【００１０】  円形付き座席の椅子は座席の縁を円形状にしたのみでこれ以上簡素化出来ないと共に故障が発生しにくい構造を特徴としている。
【発明効果】
【００１１】  上述したように猫背がちな人に低い背もたれの椅子を勧めることにより、椅子を見て猫背に対する意識が生まれ猫背を矯正しようとの背を反らす行動が生まれる。
【００１２】  疲労を蓄積した人の脹脛から如何に軽減するかの方法の一つとして常時身の回りにある椅子を手軽に利用することが出来る。
【００１３】  公園等公衆の場のベンチの座席の角を円形状にして、手軽に疲労軽減の一助にすることが出来る。
【００１４】  国民の誰もが椅子、ベンチ等の形を見て健康に寄与するものとの意識が生まれ、健康への意識が更に向上すると期待される。
【図面の簡単な説明】
【００１５】
【図１】本発明の椅子の側面図
【発明を実施するための形態】
【００１６】  以下、本発明の実施の形態を図１に基づいて説明する。
図に於いて、猫背、脹脛対策椅子Ａの背もたれＣは腰位迄の高さにして、背もたれ上部Ｃ１は円形状に加工し、背もたれＣを背で押し付けても違和感発生を少なくし背筋を後方に反らす運動の一助とする。
【００１７】  図にい於いて、座席Ｂの足の向く座席縁Ｂ１は円形状に加工し、下肢を押し付けても違和感の発生を少なくし、脹脛をマッサージして疲労回復に役立てる。
【符号の説明】
【００１８】  Ａ    猫背、脹脛対策椅子
Ｂ    座席
Ｂ１  座席縁
Ｃ    背もたれ
Ｃ１  背もたれ上部
【図１】
2016198451.tif 000003
(57)【要約】【課題】カラオケボックスやスナックなどでカラオケを楽しむ場面で、タップを踏む人はいない。簡便に、タップを楽しめる状況ではない。【解決手段】小さなスチール製円盤の縁に楔形のツメを斜めに起こし、また円盤中央に円錐形の突起を作り、それを支点にチップを靴底に捻って喰い込ませることで、普通の靴もタップシューズの代用となる。限られたスペースに合わせたスチール製のプレートがあれば、タップを楽しめる。プレートにピックアップ装置を設ければ、音響効果も期待できる。【選択図】図４
2016198454.tif 000002
【特許請求の範囲】
【請求項１】
靴底に装着するスチール製円盤の縁の３か所に、靴に喰い込ませるために鋭い楔形のツメを斜めに起こしたタップ用チップ。
【請求項２】
チップの靴底に面する部分の中央部分は円錐形の突起を作り、チップを捻ってツメを喰い込ませるのを容易にしている。
【発明の詳細な説明】
【技術分野】
【０００１】  本発明は、特にカラオケを歌える場所で、気軽にタップも楽しめる遊具に関するものである。
【背景技術】
【０００２】  現在、カラオケを楽しむ人が多い。歌う本人以外でもタンバリンやマラカスなどの楽器で雰囲気を盛り上げている。しかし、曲に併せてタップを踊ろうという人はほとんどいない。
【先行技術文献】
【特許文献】
【０００３】
【特許文献１】特開２００３−２２８３７１号
【発明の概要】
【発明が解決しようとする課題】
【０００４】  現在、カラオケボックスやスナックなどで気軽にタップを踏もうとしてもタップシューズやプレートなどなく、簡単に楽しむことができないのが現状である。
本発明は、以上の問題点を解決するためのものである。
【課題を解決するための手段】
【０００５】  普通の靴に簡単に装着できるタップ用チップとして、直径４０ｍｍ程のスチール製の円形チップの縁の３か所に鋭い小さなツメを斜めに起こして、中央に捻る作用の支点となる円錐形の突起を作り、捻って靴底に喰い込ませて固定させるというもの。基本的には片足に踵と前方とで２個を装着してタップシューズの代用とする。また、カラオケを楽しむという限られたスペースだと６００ｍｍ平方ほどのスチール製のプレートを用意すれば、タップ用のステージが出来上がる。ピックアップ装置を備えて音響効果を上げることも可能である。
以上の構成によりなるタップを楽しむ遊具。
【発明の効果】
【０００６】  このタップ用チップは着脱が簡単で、コンパクトで持ち運びができるので、時と場所を選ばないのが特徴。カラオケを楽しむ場所に限らず、硬質な盤上ならば屋外でもタップを楽しめるが、その場合は周囲の迷惑とならないような配慮が必要である。
【図面の簡単な説明】
【０００７】
【図１】本発明の斜視図
【図２】側面図
【図３】上から見た図
【図４】本発明の使用状態を示す図
【発明を実施するための形態】
【０００８】以下、本発明の実施の形態を説明する。
（イ）厚み１〜２ｍｍ、直径４０ｍｍほどのスチール製円盤（１）の縁の３か所に楔形の鋭いツメ（２）を起こし、靴底（５）に喰い込ませるタップ用チップ。円盤の大きさは大小があってよい。
（ロ）ツメの長さは３〜４ｍｍ程で、靴底に対し直角ではなく、やや斜めに喰い込むような角度にする。斜めにすることで脱落しにくくなる。ツメの方向は、右足用は時計回りに、左足用は反時計回りに設ける方がより良い。
（ハ）ツメの切れ込みの円盤中央側の面を、ツメとは逆側に反り返すように起こして小さなヤマ（３）を作り、床面に押し付けて捻るときの滑り止めの役割を持たせる。
（ニ）このタップ用チップを捻って喰い込ませるには、円盤の中央に捻る作用の支点となる円錐形の突起（４）を設けると容易になる。突起の高さはツメの深さに合わせるのがよい。この突起でさらに喰い込みやすく脱落しにくい効果がある。
（ホ）タップ用プレートは、カラオケが歌える場所を考慮すれば、約６００ｍｍ平方のスチール製の盤が適当。音響効果を上げたい場合は、ピックアップ装置を設ける。
本発明は以上のような構造である。
本発明を使用するときは、片足に２個、踵と前方に適当な位置に捻って装着。両足で４個が基本だが、数や大小も自由で、プレートの上で楽しくタップを踏めば良い。屋外でも硬質な盤上であれば楽しめるが、音に対する周囲への配慮が必要である。
【符号の説明】
【０００９】  １スチール製円盤、２ツメ、３ヤマ、４突起、５靴底
【図１】
2016198454.tif 000003
【図２】
2016198454.tif 000004
【図３】
2016198454.tif 000005
【図４】
2016198454.tif 000006
(57)【要約】【課題】  ショルダーリュックの使用時に、重量による重圧を自動的に軽減する、ショルダーリュックの肩当て具を提供する。【解決手段】  ショルダーの肩当て部位に弾力性スポンジと引きばねを内蔵するように設け、前記弾力性スポンジと引きばねを鞣革袋の中に設け、身体全体に対する重圧を解消するように形成したことを特徴とする重量軽減のショルダーリュックの肩当て具。【選択図】図１
2016198453.tif 000002
【特許請求の範囲】
【請求項１】
ショルダーの肩当て部位に弾力性スポンジと、引きばねを内蔵するように設け、前記弾力性スポンジと引きばねを鞣革袋の中に設け、身体全体に対する重圧を解消するように形成したことを特徴とする重量軽減のショルダーリュックの肩当て具。
【請求項２】
繊維取っ手を引きばね取っ手にした請求項１のショルダーリュックの肩当て具。
【発明の詳細な説明】
【技術分野】
【０００１】  本発明は、ショルダーリュックの使用時に、重量による重圧を自動的に軽減し、背負いやすくするためのショルダーリュックの肩当て具に関するものである。
【背景技術】
【０００２】  従来、中学生以上の学生は、教科書体が分厚くなり、鞄に入れることが出来なく全学生がリュックサックを背負いする時代となり、その重量は、中学生で５Ｋｇ以上と聞いてるが、業者は軽量資材を利用し改良しているが、注意書きを見ると材質が弱く営業不振に悩む状態にあるのである。
【発明の概要】
【発明が解決しようとする課題】
【０００３】  そのために、次のような問題点があった。
（イ）骨格筋の発達していない未熟な中学生も居ることと思われるが、重量５Ｋｇ以上      となると、登山による人達にあっても杖を頼りにしているが、肩や足全体に重圧が      掛かり登るに対し、歩行困難も極めている人達が大多数を占めているのである。
（ロ）リュックは、鞄より重量に対し、たやすく見えるが、学生が駅の長い階段を登る      とき、登山と異なり杖を頼りにすることができないのがつらいことであった。
本発明は、このような従来の構成が有していた問題を解決しようとするものであ      り、重量を効果的に軽減するようにして登校を楽しく送る底力のあるショルダーを      実現することを目的とするものである。
【課題を解決するための手段】
【０００４】  そして、本発明は上記目的を達成するために、ショルダーの肩当て部位に弾力性スポンジとひきばねを内蔵するように設け、前記弾力性スポンジと引きばねを鞣革袋の中に入れる。そして身体全体に対する重圧を解消するように形成する。以上を特徴とするショルダーリュックの肩当て具である。
【発明の効果】
【０００５】  上述したように本発明の重量軽減ショルダーは、肩と足腰に掛かる、重量を軽くするとともに、リュック（６）使用者に従来の苦痛を感じさせないように自動的に軽量となり肩に掛け背負いすることが安易に出来る。したがって、腰を曲げ歩くするポーズより解消される効果を発揮するものである。
【図面の簡単な説明】
【０００６】
【図１】  本発明の斜視図
【図２】  本発明の引きばね取っ手の斜視図
【図３】  本発明の実施例の分解斜視図
【図４】  同上の説明図
【発明を実施するための最良の形態】
【０００７】  以下、本発明の実施の形態を説明する。
（イ）不織布（４）を外部に面し、スポンジ（１）を二個合わせにし、その中央部に          引きばね（２）を設置し、ショルダー（Ｂ）に取り付ける。
（ロ）上記のスポンジ（１）二個の両端を斜面切りにし、切り離れの不織布（４）端        を二枚合わせにし、セロハンテープで平面巻きに接着する。以上を鞣革（３）の        袋体に内蔵する。
（ハ）従来リュック（６）の取っ手を、引きばね取っ手（５）に改良する。
本発明は以上の構成よりなっている。
本発明を使用するときは、引きばね入り取っ手（５）を軽く持つ上げ背負い場所に置く。ショルダー（Ｂ）に腕を通す時は、肩当て本体（Ａ）に手触りして位置を定める。肩当て具本体（Ａ）を利用することにより、棒立ちの状態の足が軽く、手を振り乍ら歩くようになり、姿勢も元の常態に戻るのである。これも弾力性スポンジ（１）と引きばね（２）による形成であり、重量増大の中学生以上の鞄から、リュック時代の分厚いの教科書、改定によるものであり、この重量を軽減するという効果を発揮する。また、取っ手（５）の引きばねには、選定の結果［線径２ｍｍ×外径１６ｍｍ×長さ１０７ｍｍ］を利用すると最大の効果がある。
以上のように、本実施形態によれば軽減効果が得られるものである。
【符号の説明】
【０００８】Ａ    肩当て具本体
Ｂ    ショルダー
１    スポンジ
２    引きばね
３    鞣革袋体
４    不織布
５    引きばね取っ手
６    リュック
【図１】
2016198453.tif 000003
【図２】
2016198453.tif 000004
【図３】
2016198453.tif 000005
【図４】
2016198453.tif 000006
(57)【要約】      （修正有）【課題】正しいスイング軌道を憶えることが可能なゴルフ練習用クラブの提供。【解決手段】練習用クラブは、既製のラバーグリップ１に異口径の円筒２を入れて、円筒に設けたスリットに薄平板３を固定し、先端にヘッド４を取り付ける。練習用クラブでボールを打撃する場合、正しいスイング軌道であれば、スイング前半で撓った薄平板の先端に取り付けられているヘッドはインパクトにおいてボールを正しく打撃することが可能である。【選択図】図１
2016198459.tif 000002
【特許請求の範囲】
【請求項１】
（１）のグリップ内に（２）の円筒を挿入し（３）の薄平板を固定し、先端にヘッド（４）を取り付けた練習用ゴルフクラブ
【発明の詳細な説明】
【技術分野】
【０００１】この発明は、ゴルフプレーに於ける、ストレートボールを打つのに腕やクラブを最適なスイング軌道を描くよう教授する、練習用素振り専用のゴルフクラブである。
【背景技術】
【０００２】従来の練習用クラブは種々雑多で一概にはいえないが、クラブの先端にウエイトを取り付けたもので、握力やヘッドスピードを上げるためのものが多い。
【先行技術文献】
【０００３】
【発明の概要】
【発明が解決しようとする課題】
【０００４】一般の多くのアマチュアゴルファーは、ボールを打つクラブのスイング軌道はそれぞれ個人差があり千差万別、球筋も一定しない、そこで本発明は以上のような欠点をなくし常に一定した正確なスイングが出来るよう考案されたものである。
ハンデー上級者も自らのスイングのチェツクに利用出来る。
【課題を解決するための手段】
【０００５】このような目的を達成するための本発明練習用クラブは、既製のラバーグリップに異口径の円筒を入れて、横振れはするが、縦振れはしない薄平板を固定し、先端にヘッドを取り付けたものである。
全長は６０センチメートルから１２０センチメートルの間だとする。
本発明は以上の構成よりなる練習用ゴルフクラブである。
【発明の効果】
【０００６】横振れはするが、縦振れはしないシャフトを持つこの練習用ゴルフクラブは正規のスイング軌道より外れた軌道に入れば、横振れが生じてミスをしていることが直ちに分かる仕組みになっている、したがって今迄プロや上級者よりの口伝やレッスン書による練習方法より、単独で確実に早く覚えて身につけることを特徴とした練習用ゴルフクラブである。
【図面の簡単な説明】
【０００７】
【図１】本発明の正面図である。
【図２】本発明の側面図である。
【発明を実施するための形態】
【０００８】以下、本発明を実施するための形態について説明する。
市販のゴルフクラブのラバーグリップ内に異口径の円筒を挿入し、横振れはするが縦振れはしない薄平板を固定し先端にウエイト兼用のヘッドを取り付けたもので総重量は市販のクラブと大体同等ぐらいである。
したがって、通常市販のクラブで素振りしているのと変わらないので危険性は全くない。
【符号の説明】
【０００９】１            グリップ
２            円筒
３            薄平板
４            ヘッド
【図１】
2016198459.tif 000003
【図２】
2016198459.tif 000004
(57)【要約】【課題】乳幼児が哺乳瓶でミルクを飲む際の哺乳瓶を支える機能と、乳幼児の頭部を水平より高い位置に支える枕の機能を備えた乳幼児用枕を提供する。【解決手段】枕本体（１）の頭を支える部分（２）の正面に哺乳瓶（５）を支える部分（３）を設けたことを特徴とする。【選択図】図２
2016198452.tif 000002
【特許請求の範囲】
【請求項１】
枕本体（１）の頭を支える部分（２）の正面に哺乳瓶（５）を支える部分（３）を設けたことを特徴とする乳幼児用枕。
【発明の詳細な説明】
【技術分野】
【０００１】この発明は、乳幼児が哺乳瓶でミルクを飲む際の哺乳瓶を支える機能と、乳幼児の頭部を水平より高い位置に支える枕の機能を備えた乳幼児用枕に関するものである。
【背景技術】
【０００２】従来、乳幼児に哺乳瓶で授乳する際は片手で哺乳瓶を持ちミルクを与えなければならず、もう片方の手で乳幼児の頭を身体の位置より高く起こして授乳していた。
また、従来の哺乳瓶を支える機能付きのクッション製品は哺乳瓶を支える機能のみであり、哺乳瓶を支える方向は乳幼児の側面からであった。
また、従来の乳幼児用枕は、乳幼児の頭を水平より高く支える機能のみであった。
【先行技術文献】
【特許文献】
【０００３】
【特許文献１】特開２００５−１３６９１
【特許文献２】特開２０１１−２３４８１７
【非特許文献】
【０００４】
【非特許文献１】スマイル  ケア  ジャパン社  「ハンズフリー授乳クッション」
【発明の概要】
【発明が解決しようとする課題】
【０００５】これは、つぎのような欠点があった。
従来、哺乳瓶で授乳する際は片手で哺乳瓶を持ち、もう片方の手で乳幼児の頭を身体の位置より高く起こす為、両手が塞がり、その場を離れる事ができず不便であった。
また、従来の哺乳瓶を支える機能付きのクッション製品においては、乳幼児が頭を横に傾けて不自然な姿勢でミルクを飲む必要が有る上に、それらの商品は乳幼児の頭を水平より高く支える枕の機能は有していないため、「吐き戻し」や「げっぷ」、「鼻詰まり」等の芳しくない現象が起こり、それを防止するには、やはり片方の手で乳幼児の頭を身体の位置より高く起こすか、乳幼児の頭を支える枕を別途用意する必要が有り、不便であった。
また、従来の乳幼児用枕は、哺乳瓶を支える機能を有しておらず、片手で哺乳瓶を持つ為、その場を離れる事ができず不便であった。
本発明は、以上のような欠点をなくす為になされた物である。
【課題を解決するための手段】
【０００６】枕本体（１）に頭を支える部分（２）と、その正面に哺乳瓶（５）を支える部分（３）を設ける。本発明は以上の構成よりなる乳幼児用枕である。
【発明の効果】
【０００７】哺乳瓶による授乳の際に、授乳を行う者は、両手が塞がる事なく乳幼児を寝かせた状態で授乳を行え、乳幼児は頭部を水平より高い位置に支えられるので「吐き戻し」や「げっぷ」、「鼻詰まり」等の芳しくない現象を防止する事ができる。
【図面の簡単な説明】
【０００８】
【図１】本発明の左下上部から見た外観斜視図である
【図２】本発明の使用状態を説明した左上上部から見た外観斜視図である
【発明を実施するための形態】
【０００９】  以下、本発明を実施するための形態について説明する。
乳幼児の頭部に回り込む形態の枕であり、枕の後部（２）は寝かせた状態の乳幼児の頭を水平より高い位置に固定する為に機能する。
枕の前部は、乳幼児の頭に通しやすいように切れ込み（４）が有り、また哺乳瓶（５）を支える為に凹凸（３）をつけてある。
本発明は以上のような構造である。
本発明を使用するときは、枕に乳幼児の頭を置き、哺乳瓶（５）を前部の凹凸部分（３）に置く事によって両手を塞がれる事無しに乳幼児を寝かせた状態で授乳させる。
【符号の説明】
【００１０】１  枕本体
２  乳幼児の頭を支える部分
３  哺乳瓶を支える部分
４  乳幼児の頭を枕に通しやすくする為の切れ込み部分
５  哺乳瓶
【図１】
2016198452.tif 000003
【図２】
2016198452.tif 000004